(57)【要約】【課題】製品開発者と部品開発者との開発作業の円滑な連携を可能にすること。【解決手段】複数の部品から構成される製品の開発状況を管理する開発管理装置であって、製品開発に必要な製品情報および製品を構成可能な部品に関する部品情報を記憶する記憶部と、製品情報に基づいて、記憶部に記憶された部品情報から開発が完了した開発済部品情報を抽出してユーザに提供する既存部品抽出部と、製品情報に基づいて、記憶部に記憶された部品情報から開発途上にある仕掛部品情報を抽出してユーザに提供する仕掛部品抽出部と、ユーザが選択する開発済部品情報および仕掛部品情報を受け付け、製品情報と関連付けて記憶部に記憶させる製品情報管理部とを具備する。【選択図】図２
2008084221.tif 000002
【特許請求の範囲】
【請求項１】
複数の部品から構成される製品の開発状況を管理する開発管理装置であって、
製品開発に必要な製品情報および前記製品を構成可能な前記部品に関する部品情報を記憶する記憶部と、
前記製品情報に基づいて、前記記憶部に記憶された部品情報から開発が完了した開発済部品情報を抽出してユーザに提供する既存部品抽出部と、
前記製品情報に基づいて、前記記憶部に記憶された部品情報から開発途上にある仕掛部品情報を抽出してユーザに提供する仕掛部品抽出部と、
ユーザが選択する前記開発済部品情報および前記仕掛部品情報を受け付け、前記製品情報と関連付けて前記記憶部に記憶させる製品情報管理部と
を具備する開発管理装置。
【請求項２】
前記記憶部に記憶されていない前記部品情報を受け付けて開発依頼情報として前記記憶部に記憶させる開発依頼部をさらに具備したことを特徴とする請求項１記載の開発管理装置。
【請求項３】
前記製品の開発状況のうち、所定期間内の開発計画を示す開発予定情報を時系列的にユーザに提供する表示部をさらに具備したことを特徴とする請求項１記載の開発管理装置。
【請求項４】
前記製品情報は、前記製品の開発状況を示す製品開発状況情報と、前記部品の開発状況を示す部品開発状況情報とを含み、
前記製品情報管理部は、前記製品開発状況情報および前記部品開発状況情報を階層的に管理すること
を特徴とする請求項１記載の開発管理装置。
【請求項５】
複数の部品から構成される製品の開発状況を管理する製品開発管理装置と、前記部品の開発状況を管理する部品開発管理装置とを有する開発管理システムであって、
前記製品開発管理装置は、
製品開発に必要な製品情報および前記製品を構成可能な前記部品に関する部品情報を記憶する記憶部と、
前記製品情報に基づいて、前記記憶部に記憶された部品情報から開発が完了した開発済部品情報を抽出してユーザに提供する既存部品抽出部と、
前記製品情報に基づいて、前記記憶部に記憶された部品情報から開発途上にある仕掛部品情報を抽出してユーザに提供する仕掛部品抽出部と、
ユーザが入力する前記部品の開発依頼情報を受け付けて、前記部品開発管理装置に送信する開発依頼部と、
ユーザが選択する前記開発済部品情報および前記仕掛部品情報とユーザが入力する前記開発依頼情報を受け付け、前記製品情報と関連付けて前記記憶部に記憶させる製品情報管理部とを具備し、
前記部品開発管理装置は、
前記製品開発管理装置から前記開発依頼情報を受信し、該開発依頼情報に係る部品の開発期間や費用を示す回答情報を前記製品管理装置に返信する回答部を具備すること
を特徴とする開発管理システム。
【請求項６】
複数の部品から構成される製品の開発状況を管理する開発管理装置であって、
製品開発に必要な製品情報および前記製品を構成可能な前記部品に関する部品情報を記憶する記憶部と、
前記製品情報に基づいて、前記記憶部に記憶された部品情報から開発が完了した開発済部品情報を抽出してユーザに提供する既存部品抽出部と、
前記製品情報に基づいて、前記記憶部に記憶された部品情報から開発途上にある仕掛部品情報を抽出してユーザに提供する仕掛部品抽出部と、
ユーザが選択する前記開発済部品情報および前記仕掛部品情報を受け付け、前記製品情報と関連付けて前記記憶部に記憶させる製品情報管理部とを具備する開発管理装置としてコンピュータを機能させるコンピュータプログラム。
【発明の詳細な説明】
【技術分野】
【０００１】
本発明は、例えば複数の構成部品から製造される製品の開発において、製品および部品の開発状況を管理する開発管理装置、開発管理システム、コンピュータプログラムに関する。
【背景技術】
【０００２】
システムＬＳＩを使用した半導体製品など、顧客の要求に応じて部品を組み合わせカスタマイズされる製品の開発においては、既存部品を発注したり、新規部品の開発を依頼したりする作業が必要である。
【０００３】
一般に、製品開発と部品開発とは別々の者により行われることから、開発スケジュールや発注・納入スケジュールの進捗状況などは、製品開発側と部品開発側とでそれぞれ別個のデータベース等を用いて別々に管理されている。従って、製品開発者が部品開発者と連携して開発作業を進めるには、スケジュール管理が重要となる。また、製品開発側と部品開発側との間で交わされる開発依頼書や回答書など、製品の開発と関連する通信のやりとりも多く発生することになる。
【特許文献１】特開２００４−３３４９１２号公報
【発明の開示】
【発明が解決しようとする課題】
【０００４】
従来の開発管理装置、開発管理システム、コンピュータプログラムでは、製品開発側と部品開発側とで別々に製品情報、部品情報、およびスケジュール情報を管理していたため、製品開発者と部品開発者との作業の連携が充分に図れないという問題がある。本発明はこのような問題を解決するためになされたもので、製品開発者と部品開発者との開発作業の円滑な連携を可能にする開発管理装置、開発管理システム、コンピュータプログラムを提供することを目的としている。
【課題を解決するための手段】
【０００５】
上記した目的を達成するために、本発明の一実施態様に係る開発管理装置は、複数の部品から構成される製品の開発状況を管理する開発管理装置であって、製品開発に必要な製品情報および製品を構成可能な部品に関する部品情報を記憶する記憶部と、製品情報に基づいて、記憶部に記憶された部品情報から開発が完了した開発済部品情報を抽出してユーザに提供する既存部品抽出部と、製品情報に基づいて、記憶部に記憶された部品情報から開発途上にある仕掛部品情報を抽出してユーザに提供する仕掛部品抽出部と、ユーザが選択する開発済部品情報および仕掛部品情報を受け付け、製品情報と関連付けて記憶部に記憶させる製品情報管理部とを具備している。
【０００６】
本発明の他の実施態様に係る開発管理システムは、複数の部品から構成される製品の開発状況を管理する製品開発管理装置と、部品の開発状況を管理する部品開発管理装置とを有する開発管理システムであって、製品開発管理装置は、製品開発に必要な製品情報および製品を構成可能な前記部品に関する部品情報を記憶する記憶部と、製品情報に基づいて、記憶部に記憶された部品情報から開発が完了した開発済部品情報を抽出してユーザに提供する既存部品抽出部と、製品情報に基づいて、記憶部に記憶された部品情報から開発途上にある仕掛部品情報を抽出してユーザに提供する仕掛部品抽出部と、ユーザが入力する部品の開発依頼情報を受け付けて、部品開発管理装置に送信する開発依頼部と、ユーザが選択する開発済部品情報および仕掛部品情報とユーザが入力する開発依頼情報を受け付け、製品情報と関連付けて記憶部に記憶させる製品情報管理部とを具備し、部品開発管理装置は、製品開発管理装置から開発依頼情報を受信し、開発依頼情報に係る部品の開発期間や費用を示す回答情報を製品管理装置に返信する回答部を具備している。
【０００７】
本発明の他の実施態様に係るコンピュータプログラムは、複数の部品から構成される製品の開発状況を管理する開発管理装置であって、製品開発に必要な製品情報および製品を構成可能な部品に関する部品情報を記憶する記憶部と、製品情報に基づいて、記憶部に記憶された部品情報から開発が完了した開発済部品情報を抽出してユーザに提供する既存部品抽出部と、製品情報に基づいて、記憶部に記憶された部品情報から開発途上にある仕掛部品情報を抽出してユーザに提供する仕掛部品抽出部と、ユーザが選択する開発済部品情報および仕掛部品情報を受け付け、製品情報と関連付けて記憶部に記憶させる製品情報管理部とを具備する開発管理装置としてコンピュータを機能させる。
【発明の効果】
【０００８】
本発明によれば、製品開発者と部品開発者との開発作業の連携を円滑にすることができる。
【発明を実施するための最良の形態】
【０００９】
以下図面を参照して、本発明の一実施形態を詳細に説明する。図１は、本発明に係る一つの実施形態の開発管理システムの構成を示すブロック図である。この実施形態の開発管理システムは、システムＬＳＩを使用した半導体製品の開発において、開発対象の製品およびその製品に使用される部品の開発状況（進捗状況）を管理するシステムである。
【００１０】
図１に示すように、この実施形態の開発管理システム１は、製品開発管理装置１０ａと、部品開発管理装置１０ｂと、クライアント端末２０ａ／２０ｂを備え、これらが、ネットワーク３０で接続されている。すなわち、この開発管理システム１は、サーバ機能を有する製品開発管理装置１０ａおよび部品開発管理装置１０ｂと、クライアント機能を有するクライアント端末２０ａ／２０ｂとで、サーバ／クライアント方式のデータ処理システムを構成している。
【００１１】
製品開発管理装置１０ａは、開発対象の製品に関する情報を管理する装置であり、部品開発管理装置１０ｂは、開発対象の部品に関する情報を管理する装置である。
【００１２】
製品開発管理装置１０ａは、開発対象の製品を識別する製品名称、製品開発スケジュール、その製品で使用する部品の名称など製品に関する情報を蓄積する製品情報データベースを有し、部品開発管理装置１０ｂにより構築される部品情報データベースへアクセスする機能をも有している。製品開発管理装置１０ａは、開発管理システム１にアクセス可能な製品開発者や部品開発者などユーザに関する情報を蓄積するユーザ情報データベースをも有している。
【００１３】
製品開発管理装置１０ａは、データベースとして蓄積されるデータや、各種実行処理を規定するプログラムなどを記憶する記憶部１１ａ、データベース機能やサーバ機能を提供するため各種処理を実行する処理部１２ａ、およびネットワーク３０を介して部品開発管理装置１０ｂやクライアント端末２０ａ／２０ｂとの間で情報を送受信するためのインタフェース１３ａを有している。すなわち、製品開発管理装置１０ａは、記憶部１１ａに記憶されたプログラムを処理部１２ａが実行することにより各種機能が実現されるコンピュータ装置により構成される。
【００１４】
記憶部１１ａは、各種情報を蓄積する大容量記憶手段であり、例えばハードディスク装置、不揮発性メモリ装置などである。記憶部１１ａには、データベースを構成する各種データ、データベース処理やサーバ処理を実行するプログラムなどが記憶されている。
【００１５】
処理部１２ａは、データベース処理やサーバ処理を実際に実行する演算手段であり、例えばＣＰＵや揮発性メモリ、ＢＩＯＳ等を搭載したメモリなどを有している。インタフェース１３ａは、製品開発管理装置１０ａの通信機能を担うデータ送受信手段であり、例えばＴＣＰ／ＩＰインタフェースなどである。インタフェース１３ａは、ネットワーク３０の種類や伝送する情報のデータ量などに応じて適切なものを選択することができる。
【００１６】
部品開発管理装置１０ｂは、製品開発管理装置１０ａとほぼ共通する構成を有している。すなわち、部品開発管理装置１０ｂは、製品開発管理装置１０ａの記憶部１１ａ、処理部１２ａ、インタフェース１３ａとそれぞれ対応する、記憶部１１ｂ、処理部１２ｂ、インタフェース１３ｂを有している。部品開発管理装置１０ｂは、開発対象の部品を識別する部品名称など部品に関する情報を蓄積する部品情報データベースを有し、製品開発管理装置１０ａにより構成される製品情報データベースへアクセスする機能をも有している。
【００１７】
この実施形態の製品開発管理装置１０ａおよび部品開発管理装置１０ｂは、もっぱらサーバ機能を提供するため、表示部や入力部などを省略しているが、これには限定されない。すなわち通常のコンピュータ装置のようにＬＣＤなどの表示装置や、キーボード・マウス等の入力装置を備えていてもよい。
【００１８】
クライアント端末２０ａは、製品開発管理装置１０ａおよび部品開発管理装置１０ｂが構築するデータベースにアクセスし、データの入力・出力指示を行うコンピュータ装置である。クライアント端末２０ａは、ネットワーク３０と接続可能な一般的なコンピュータ装置により実現することができ、例えば記憶部２１ａ、処理部２２ａ、インタフェース２３ａ、入力部２４ａおよび表示部２５ａを有している。
【００１９】
記憶部２１ａは、クライアント端末２０ａにおいてデータ送受信機能を実現する処理を規定するプログラムや、一時的に読み出したデータを記憶するための大容量記憶手段であり、例えばハードディスク装置、不揮発性メモリ装置などである。処理部２２ａは、データベースアクセス処理などを実際に実行する演算手段であり、例えばＣＰＵや揮発性メモリ、ＢＩＯＳ等を搭載したメモリなどを有している。インタフェース２３ａは、クライアント端末２０ａの通信機能を担うデータ送受信手段であり、例えばＴＣＰ／ＩＰインタフェースなどである。インタフェース２３ａは、インタフェース１３ａと同様に、ネットワーク３０の種類や伝送する情報のデータ量などに応じて適切なものを選択することができる。入力部２４ａは、製品開発管理装置１０ａおよび部品開発管理装置１０ｂが構築するデータベースにデータを入力し、またはデータを編集するための入力手段であり、例えばキーボードやマウスなどである。表示部２５ａは、製品開発管理装置１０ａおよび部品開発管理装置１０ｂが提供するデータベースのデータ表示を実現する表示手段であり、例えばＬＣＤディスプレイなどである。
【００２０】
なお、クライアント端末２０ｂは、クライアント端末２０ａとほぼ共通する構成を有している。すなわち、クライアント端末２０ｂは、クライアント端末２０ａの記憶部２１ａ、処理部２２ａ、インタフェース２３ａ、入力部２４ａおよび表示部２５ａとそれぞれ対応する、記憶部２１ｂ、処理部２２ｂ、インタフェース２３ｂ、入力部２４ｂおよび表示部２５ｂを有している。クライアント端末２０ａとクライアント端末２０ｂとの違いは、前者が製品開発を担当するユーザ（製品開発者）が利用する端末装置であるのに対し、後者が部品開発を担当するユーザ（部品開発者）が利用する端末装置である点のみである。
【００２１】
次に、図２および図３を参照して、この実施形態の開発管理システム１の構成について詳細に説明する。図２は、この実施形態に係る製品開発管理装置１０ａの機能構成を示すブロック図、図３は、この実施形態に係る部品開発管理装置１０ｂの機能構成を示すブロック図である。
【００２２】
図２に示すように、この実施形態の製品開発管理装置１０ａは、ユーザ情報記憶部１１１および製品情報記憶部１１２を有する記憶部１１ａと、サーバ部１２１、アクセス認証部１２２、ユーザ情報管理部１２３、製品情報管理部１２４、既存部品抽出部１２５、仕掛部品抽出部１２６、新規部品開発依頼部１２７、製品一覧表示部１２８、および製品詳細情報表示部１２９を有する処理部１２ａとを具備している。
【００２３】
ユーザ情報記憶部１１１は、ユーザ情報データベースとして蓄積されるユーザ情報を読み書き可能に記憶するユーザ情報記憶手段である。ユーザ情報記憶部１１１に記憶されるユーザ情報は、開発管理システム１にアクセスできるユーザに関する情報である。ユーザ情報には、例えば、ユーザが開発管理システム１にアクセスするためのアクセスコード、製品開発者や部品開発者などユーザの役割を区別するためのユーザ種別コード、メールアドレス、所属部署コードなどが含まれる。アクセスコードは、例えば、許可された者だけに個別に与えられユーザを識別することができるユーザＩＤとパスワードの対である。
【００２４】
製品情報記憶部１１２は、製品情報データベースとして蓄積される製品情報を、複数の製品について、製品毎に読み書き可能に記憶する製品情報記憶手段である。製品情報には、例えば、製品を識別管理するための製品識別情報（例えば製品開発番号、製品コード、製品名称など）、用途、顧客名、担当部署コード、担当者名、試作や量産などのスケジュールに関する情報（例えば試作時期・数量、量産時期・数量）、製品寿命、その製品が使用する部品を識別管理するための使用部品識別情報（例えば部品コード、部品名称など）、製品の特徴、証拠書類データ等が含まれる。ここで証拠書類データとは、製品開発側と部品開発側とで当該製品開発に関して交わした証拠となるデータであり、例えば、新規部品開発依頼書データ、見積書データ、回答書データなどである。
【００２５】
製品情報は、登録される毎に上書きされるのではなく、必要に応じて過去の履歴を参照し得るように追加的に記憶され、時系列に沿って改訂履歴番号が付されて履歴管理されている。
【００２６】
製品情報記憶部１１２は、複数のクライアント端末２０ａ、２０ｂを通じて、複数の製品開発者および部品開発者らにより同時並行的に記憶処理を実行することが可能なように構成されている。
【００２７】
サーバ部１２１は、製品開発管理装置１０ａの処理部１２ａにおいて、インタフェース１３ａと処理部１２ａ内の各部との間に介在し、情報やイベントの受け渡しを行い、各部を制御する機能を有するデータ処理部である。
【００２８】
アクセス認証部１２２は、入力されたアクセス要求と、あらかじめユーザ情報記憶部１１２に記憶されたアクセスコードに基づいて、要求されたアクセスを認証すべきか否かの判定をするアクセス認証判定部である。入力されるアクセス要求としては、例えば、ユーザＩＤとパスワードの対からなるアクセスコードなどが挙げられる。アクセス認証部１２２は、アクセスコードに対応してユーザ情報記憶部１１１に記憶されたユーザ種別が製品開発者か部品開発者かそれ以外かを判定して、アクセスの可否をサーバ部１２１に通知する機能を有する。
【００２９】
ユーザ情報管理部１２３は、ユーザ情報を管理するデータ処理部である。ユーザ情報管理部１２３は、ユーザ情報をユーザ情報記憶部１１１に記憶させる機能を有する。ユーザ情報管理部１２３は、ユーザ情報記憶部１１１からユーザ情報を読み出し、サーバ部１２１を介して、クライアント端末２０ａまたはクライアント端末２０ｂに提供する機能をも有する。ユーザ情報管理部１２３は、ユーザ情報記憶部１１１とユーザ情報管理部１２３とで連携してユーザ情報データベースとして機能するように構成されている。
【００３０】
ユーザ情報管理部１２３は、クライアント端末２０ａまたは２０ｂからの新規ユーザ登録要求に基づき、ユーザＩＤとパスワードからなるアクセスコードを発行しユーザ情報記憶部１１１に登録する（記憶させる）新規ユーザ登録機能を有する。
【００３１】
なお、ユーザ情報管理部１２３は、クライアント端末２０ａまたは２０ｂからの新規ユーザ登録要求に基づいてユーザ登録を行う前に、該端末２０ａ（２０ｂ）の表示部２５ａ（２５ｂ）に対して本実施形態に係る開発管理システム１の使い方を表示するe-Learningを実施するように構成してもよい。さらに、e-Learning終了後にユーザの理解度を確認する理解度確認テストを行い、理解度確認テストに合格した者のみにアクセスコードを自動的に発行して該アクセスコードをユーザ情報記憶部１１１に新規登録する機能を有してもよい。これにより、本システムの使い方を知らない者が本システムを利用することがなくなり、システムの使い方を知らないために生じるトラブルの発生を未然に防ぐことができる。
【００３２】
ユーザ情報管理部１２３は、さらに、クライアント端末２０ａの入力部２４ａまたはクライアント端末２０ｂの入力部２４ｂからの指示により、パスワードを変更する機能を有し、メールアドレスや所属部署コードなどのユーザの個人情報を変更または追加登録する機能をも有する。
【００３３】
製品情報管理部１２４は、製品情報を管理するデータ処理部であり、製品情報記憶部１１２から製品情報を読み出し、サーバ部１２１を介してクライアント端末２０ａ，２０ｂに提供する機能を有する。製品情報管理部１２４は、サーバ部１２１を介して受け取ったクライアント端末２０ａまたはクライアント端末２０ｂからの指示により、製品情報記憶部１１２に製品情報を書き出す機能をも有する。製品情報管理部１２４は、製品情報記憶部１１２と製品情報管理部１２４とで連携して製品情報データベースとして機能するように構成されている。
【００３４】
既存部品抽出部１２５は、指定された製品情報に基づいて、当該製品情報の要件に該当する既存部品（部品開発者が既に開発し、在庫がある部品）の候補一覧を、部品開発管理装置１０ｂの部品情報記憶部１１３から抽出する機能を有する。既存部品抽出部１２５は、抽出された部品情報候補一覧を、サーバ部１２１を介してクライアント端末２０ａに対して提供する機能をも有する。
【００３５】
仕掛部品抽出部１２６は、指定された製品情報に基づいて、当該製品情報の要件に該当し、かつ、現在開発仕掛中の部品情報リストを、ネットワーク３０を介して部品開発管理装置１０ｂの部品情報記憶部１１３から抽出する機能を有する。仕掛部品抽出部１２６は、抽出された部品情報リストを、サーバ部１２１を介してクライアント端末２０ａに対して開発仕掛部品一覧として提供する機能をも有する。
【００３６】
新規部品開発依頼部１２７は、製品開発者が新規部品の開発を部品開発者に依頼するのに必要なデータ処理を行うデータ処理部である。例えば、新規部品開発依頼部１２７は、新規部品開発依頼書の作成に必要な情報や新規部品への要望などを、クライアント端末２０ａからの入力により受け付け、新規部品開発依頼書データを作成する機能を有する。新規部品開発依頼部１２７は、作成した新規部品開発依頼書データを、製品情報管理部１２４を介して製品情報と関連付けて製品情報記憶部１１２へ記憶する機能を有する。また、新規部品開発依頼部１２７は、クライアント端末２０ａからの入力や製品情報記憶部１１２に記憶されたデータに基づいて新規部品開発依頼に関する電子メールなどの通信文を作成し、サーバ部１２１を介して部品開発管理装置１０ｂの新規部品開発依頼受付部１４３へ向けて送信する機能をも有する。
【００３７】
製品一覧表示部１２８は、製品一覧表を提供するのに必要なデータ処理を行うデータ処理部である。製品一覧表示部１２８は、製品情報管理部１２４を介して製品情報記憶部１１２から製品一覧情報を抽出する機能を有する。製品一覧表示部１２８は、現時点から所定期間内の開発スケジュールを時系列様式で付した製品一覧表を、クライアント端末２０ａに対して表示し得るように生成する機能を有する。所定期間内とは、例えば１年間であり、時系列様式とは、例えば１箇月単位の表形式である。製品一覧表示部１２８は、生成した製品一覧表を、製品情報管理部１２４を介して製品情報記憶部１１２に保存する機能をも有する。製品一覧表示部１２８は、生成され又は保存された製品一覧表を、サーバ部１２１を介してクライアント端末２０ａに対して提供する機能をも有する。
【００３８】
製品詳細情報表示部１２９は、指定された製品についての詳細情報を表示するのに必要なデータ処理を行うデータ処理部である。製品詳細情報表示部１２９は、指定された製品についての詳細情報を、製品情報管理部１２４を介して製品情報記憶部１１２から抽出し、抽出した製品詳細情報をクライアント端末２０ａに対して提供する機能を有する。また、製品詳細情報表示部１２９は、開発履歴がある場合には当該開発履歴情報を読み出してクライアント端末２０ａに対して提供する機能をも有する。さらに、製品詳細情報表示部１２９は、証拠書類データなどの添付情報がある場合には当該添付情報を参照し得るようにクライアント端末２０ａに対して提供する機能をも有する。
【００３９】
図３に示すように、この実施形態の部品開発管理装置１０ｂは、部品情報記憶部１１３を有する記憶部１１ｂと、サーバ部１４１、部品情報管理部１４２、新規部品開発依頼受付部１４３、回答登録部１４４、製品一覧表示部１４５、および製品詳細情報表示部１４６を有する処理部１２ｂと、を具備している。
【００４０】
部品情報記憶部１１３は、部品情報データベースとして蓄積される部品情報を読み書き可能に記憶する部品情報記憶手段である。部品情報としては、部品識別情報（例えば部品コード、部品名称など）、特徴、特性、構成材料、検証データ、妥当性データ、担当部署コード、担当者名、部品開発スケジュールなどが挙げられる。
【００４１】
サーバ部１４１は、部品開発管理装置１０ｂの処理部１２ｂにおいて、インタフェース１３ｂと処理部１２ｂ内の各部との間に介在し、情報やイベントの受け渡しを行い、各部を制御する機能を有するデータ処理部である。
【００４２】
部品情報管理部１４２は、部品情報を管理するデータ処理部である。部品情報管理部２２２は、部品情報記憶部１１３から部品情報を読み出し、サーバ部１４１を介してクライアント端末２０ｂに提供する機能を有する。部品情報管理部１４２は、サーバ部１４１を介して受け取ったクライアント端末２０ｂおよび／または製品開発管理装置１０ａからの指示により、部品情報を部品情報記憶部１１３に書き出す機能をも有する。部品情報管理部１４２は、部品情報記憶部１１３と部品情報管理部１４２とで連携して部品情報データベースとして機能するように構成されている。
【００４３】
新規部品開発依頼受付部１４３は、製品開発管理装置１０ａの新規部品開発依頼部１２７から送られる新規部品の開発依頼を受け付けて部品開発担当者へ通知する機能を有する。部品開発担当者の通知は、例えば電子メールなどの通信文で行うことができる。なお、新規部品開発依頼受付部１４３は、受け付けた開発依頼に含まれる部品の情報に基づいて、その開発費用や開発期間を自動的に計算して新規部品開発依頼部１２７に回答する機能を有してもよい。
【００４４】
回答登録部１４４は、新規部品開発依頼に対する回答書データを、クライアント端末２０ｂを通じて部品開発者から入力を受け付けて作成し、サーバ部１４１を介して製品開発管理装置１０ａの製品情報記憶部１１２に登録する機能を有する。回答登録部１４４は、回答を行った旨を通知するメールを作成し製品開発担当者へ向けて発信する機能をも有する。新規部品開発依頼受付部１４３が前述のように自動回答する場合、回答登録部１４４は、その回答情報を新規部品開発依頼部１２７に渡す作用をする。
【００４５】
製品一覧表示部１４５は、部品開発者用のクライアント端末２０ｂに対して、部品毎にその部品を使用する製品一覧を提供する機能を有する。製品一覧表示部１４５は、部品名称や担当者名など指定された部品情報に基づき、製品開発管理装置１０ａの製品情報記憶部１１２から当該部品を使用する製品一覧情報を抽出し、当該複数の製品について、現時点から所定期間内の開発スケジュールを時系列様式で付して製品一覧表をクライアント端末２０ｂに対して表示し得るように生成する機能を有する。所定期間内とは、例えば１年間であり、時系列様式とは、例えば列方向を１箇月単位とした表形式である。
【００４６】
製品詳細情報表示部１４６は、部品開発者用のクライアント端末２０ｂに対して、選択指定された製品の詳細情報を提供する機能を有する。製品詳細情報表示部１４６は、クライアント端末２０ｂからの指示により、当該製品情報に付された履歴情報や証拠書類データについても、クライアント端末２０ｂに提供する機能を有する。製品詳細情報表示部１４６は、例えば、クライアント端末２０ｂに提供された製品一覧表示画面からクライアント端末２０ｂの指示により選択指定された製品識別情報に基づき、製品開発管理装置１０ａを介して、製品情報記憶部１１２から製品の詳細情報を読み出すことにより実現することができる。
【００４７】
次に、図４ないし図９を参照して、この実施形態の開発管理システム１の動作を説明する。図４は、この開発管理システム１における全体的な処理フローを示す図である。図５は、製品開発管理装置１０ａにおける製品情報登録処理フローを示す図、図６は、図５の場合において表示部２５ａに提供される製品情報新規入力画面の一例を示す図である。図７は、製品情報が改訂され階層表示となる処理フローを示す図、図８は、製品一覧表示画面の一例を示す図、図９は、製品開発スケジュールが改訂される処理フローを示す図である。
【００４８】
図４に示すとおり、製品開発管理装置１０ａのサーバ部１２１は、インタフェース１３ａおよびネットワーク３０を介してクライアント端末２０ａまたは２０ｂからのアクセス要求を受け付ける（Ｓ１０１）。例えば、クライアント端末２０ａからアクセス要求を受けた場合、製品開発管理装置１０ａのサーバ部１２１は、ネットワーク３０を介して、クライアント端末２０ａにアクセス要求受付様式（フォーム）を送信する。クライアント端末２０ａ側では、ネットワーク３０およびインタフェース２３ａを介してサーバ部１２１からアクセス要求受付様式を受信すると、処理部２２ａは、受信したアクセス要求受付様式に基づいて表示部２５ａにアクセス要求受付画面を表示させる。表示部２５ａに表示されたアクセス要求受付画面に応じて入力部２４ａからデータが入力されると、処理部２２ａは、その入力データをアクセス要求としてネットワーク３０を介して製品開発管理装置１０ａに送信する。
【００４９】
クライアント端末２０ｂからアクセス要求を受けた場合も同様である。すなわち、クライアント端末２０ｂからアクセス要求を受けた場合、開発管理装置１０のサーバ部１２１は、ネットワーク３０を介して、クライアント端末２０ｂにアクセス要求受付様式（フォーム）を送信する。クライアント端末２０ｂ側では、ネットワーク３０を介してサーバ部１２１からアクセス要求受付様式を受信すると、処理部２２ｂは、受信したアクセス要求受付様式に基づいて表示部２５ｂにアクセス要求受付画面を表示させる。表示部２５ｂに表示されたアクセス要求受付画面に応じて入力部２４ｂからデータが入力されると、処理部２２ｂは、その入力データをアクセス要求としてネットワーク３０を介して製品開発管理装置１０ａに送信する。
【００５０】
ネットワーク３０を介してアクセス要求を受け付けると、サーバ部１２１は、アクセス要求の可否をアクセス認証部１２２に問い合わせる。アクセス認証部１２２は、サーバ部１２１からの問い合わせに応じてアクセス認証がＯＫであるか否かを判定する（Ｓ１０２）。
【００５１】
アクセス認証の判定結果がＯＫでない場合（Ｓ１０２のＮｏ）、アクセス認証部１２２は認証ＮＧをサーバ部１２１に返し、サーバ部１２１は、アクセス要求を拒絶してアクセス要求の受付に戻る（Ｓ１０１）。一方、アクセス認証の判定結果がＯＫである場合（Ｓ１０２のＹｅｓ）、アクセス認証部１２２は、受け付けたアクセス要求に基づいて、そのアクセス要求を発したユーザが製品開発者であるか否かをさらに判定する（Ｓ１０３）。例えば、アクセス認証部１２２は、受け付けたアクセス要求に基づいて、ユーザ情報管理部１２２を介してユーザ情報記憶部１１１に記憶されたユーザ種別コードを読み出すことにより、アクセス要求を発したユーザの種別を判定する。
【００５２】
製品開発者であると判定した場合（Ｓ１０３のＹｅｓ）、すなわちクライアント端末２０ａの場合、アクセス認証部１２２は製品開発者の認証ＯＫをサーバ部１２１に返し、サーバ部１２１は、製品情報登録や進捗状況閲覧などクライアント端末２０ａの要求に応じた処理を行う（Ｓ１０４）。
【００５３】
クライアント端末２０ａの要求に応じて行われる処理（Ｓ１０４）としては、例えば、新規開発対象の製品情報を新規に登録する処理、登録済みの製品情報について情報の一部を修正または追加して改訂する処理などの製品情報登録処理が挙げられる。また、クライアント端末２０ａの要求に応じて、現在開発中の製品情報を当月より１年間のスケジュールと新規部品開発の進捗状況を付して一覧表示する処理も行われる。そのほか、クライアント端末２０ａの要求に応じて、登録済みの製品情報を指定された条件で検索する処理、指定された製品の詳細情報を添付情報（証拠書類データ）へのリンクや過去の改訂履歴と併せて表示する処理なども行われる。
【００５４】
一方、製品開発者ではなく部品開発者からのアクセス要求であると判定した場合（Ｓ１０３のＮｏ）、アクセス認証部１２２は部品開発者の認証ＯＫをサーバ部１２１に返す。部品開発者の認証ＯＫを受け取るとサーバ部１２１は、ネットワーク３０を介して部品開発管理装置１０ｂのサーバ部１４１へ、当該アクセス元のユーザ情報等を付して、該アクセス元のクライアント端末２０ｂに対して部品開発者の認証ＯＫを通知する。該通知を受け取ると部品開発管理装置１０ｂのサーバ部１４１は、部品情報登録や進捗状況閲覧などクライアント端末２０ｂの要求に応じた処理を行う（Ｓ１０６）。
【００５５】
クライアント端末２０ｂの要求に応じて行われる処理（Ｓ１０６）としては、次のものが挙げられる。例えば、クライアント端末２０ｂにより指定された部品について部品情報管理装置１０ｂの製品一覧表示部１４５が当該部品を使用する製品情報の一覧を表示する処理、表示された製品情報一覧に基づいてクライアント端末２０ｂの指示により選択された製品について製品詳細情報表示部１４６がクライアント端末２０ｂに対して提供する処理である。また、例えば、クライアント端末２０ｂの要求に応じて、クライアント端末２０ｂにより指定された部品について、部品情報の入力を受付け、受け付けた部品情報を部品情報管理部１４２が部品情報記憶部１１３に登録する処理が挙げられる。これにより、部品開発者は、仕様決定、設計検証、妥当性確認、量産レシピなどの各段階において部品情報を適宜登録し開発に役立てることができる。
【００５６】
また、Ｓ１０６において、クライアント端末２０ｂから新規部品開発依頼への回答要求があった場合には、回答登録部１４４は、部品開発管理装置１０ｂのサーバ部１４１を介して、クライアント端末２０ｂからの入力により回答を受け付け、受け取った回答を製品開発管理装置１０ａの製品情報記憶部１１２に登録する。
【００５７】
次に、図５および図６を参照して、クライアント端末２０ａの要求に応じて行われる処理（Ｓ１０４）として、製品開発管理装置１０ａの動作について詳細に説明する。
【００５８】
まず、製品開発管理装置１０ａのサーバ部１２１は、製品情報を新規登録する際の入力に必要な項目を提供する（Ｓ２０１）。具体的には、サーバ部１２１は、製品情報管理部１２４に対し製品情報記憶部１１２から製品情報新規入力様式（フォーム）の読み出しを指示し、クライアント端末２０ａに対してその様式を提供する。これにより、例えば図６に示す製品情報新規入力画面がクライアント端末２０ａの表示部２５ａに表示され、製品開発者であるユーザに対して製品情報の入力が促される。
【００５９】
図６に示す例では、製品情報新規入力画面３００は、製品情報入力受付領域３１０を有している。製品情報入力受付領域３１０は、製品名称３１１、顧客情報３１２、所属部門３１３、担当者名３１４、製品コード３２１、製品スケジュール３２２、パッケージのタイプ３３１などの入力を受け付けられるように構成されている。製品情報入力受付領域３１０の下部には、確認ボタン３４１が設けられている。
【００６０】
ここで、製品スケジュール３２２は、試作フェーズや量産フェーズなど必要なフェーズについて（図６の例では５つ）、それぞれ開始時期と生産予定数量の入力を受け付けるように構成されている。例えば、開始時期の年／月／日を西暦２桁で入力する形式（ＹＹ／ＭＭ／ＤＤ）、すなわち、２００６年４月３０日であれば、０６／０４／３０の様に入力される。
【００６１】
なお、図６に示す例は、入力を受け付ける項目のうち一部を示したものである。図６に示したものの他、例えば、システムＬＳＩのＤｉｅ／製品情報に関して、プロセス名称、ウェハ径、バンプパッドピッチ、ピン数、製品生産寿命など、実際に製品開発者と部品開発者にとって必要な項目が適宜設けられている。これにより、当該製品の要件に該当する既存部品や仕掛部品の候補をより確実に抽出することができる。また、当該製品に関して、自由に追加情報や関係者への連絡情報を入力できる領域なども設けられている。これにより、メモ的な情報のやり取りも一元管理することができ、適宜参照できるようになる。
【００６２】
なお、製品情報新規入力画面３００は、図６に示すように、インターネットブラウザなどの汎用のソフトウェアを用いて簡便に構成することができる。同図に示す例では、製品情報画面３００は、ファイルメニューや、ヘルプメニューなどを具備したメニュー領域３６１と、ＵＲＬなどのアドレスを入力するアドレス入力領域３６２をも具備している。
【００６３】
製品開発者が製品情報新規入力画面に必要事項を適宜入力して、確認ボタン３４１をクリックすると、サーバ部１２１は、クライアント端末２０ａから入力された製品情報を受け付ける（Ｓ２０２）。クライアント端末２０ａから入力された製品情報を受け取るとサーバ部１２１は、受け取った製品情報を既存部品抽出部１２５に渡す。
【００６４】
その製品情報を受け取ると、既存部品抽出部１２５は、受け取った製品情報に基づいて、当該製品情報の要件に該当する既存部品の候補を、（部品開発管理装置１０ｂの）部品情報記憶部１１３に記憶されている部品情報の中から抽出し、抽出された部品情報のリストを、サーバ部１２１を介してクライアント端末２０ａに対して部品候補一覧として提供する（Ｓ２０３）。
【００６５】
部品候補一覧として提供される情報には、部品の名称（通称および／又は正式名称を含む）、汎用性、価格などの情報が含まれる。これにより、クライアント端末２０ａのユーザである製品開発者は、提供された既存部品一覧の内容を検討し、当該製品の開発要件に合う既存部品を選択することができる。
【００６６】
製品開発者の選択によりクライアント端末２０ａから既存部品情報を受け取った場合（Ｓ２０４のＹｅｓ）、サーバ部１２１は、受け取った情報に基づいて既存部品使用製品番号を発行する（Ｓ２０５）。この既存部品使用製品番号は、当該製品において使用される既存部品を特定する役割をする。
【００６７】
続いて、サーバ部１２１は、先に受け取った製品情報と共に、発行した番号および受け取った既存部品情報を製品情報管理部１２５に渡す。製品情報管理部１２５は、受け取った情報に基づいて、当該部品情報を関連付けて当該製品情報を製品情報記憶部１１２に登録する（Ｓ２０６）。
【００６８】
一方、製品開発者の指示によりクライアント端末２０ａから既存部品を選択しない旨の指示を受け取った場合（Ｓ２０４のＮｏ）、あるいは、Ｓ２０５、Ｓ２０６の既存部品選択処理が終了すると、サーバ部１２１は、受け取った（登録した）製品情報を仕掛部品抽出部１２６に渡す。製品情報を受け取ると、仕掛部品抽出部１２６は、受け取った製品情報に基づいて、当該製品情報の要件に該当し現在開発仕掛中の部品情報を、部品開発管理装置１０ｂを介して部品情報記憶部１１３に記憶されている部品情報の中から抽出する。仕掛部品抽出部１２６は、抽出された部品情報の一覧を、サーバ部１２１を介してクライアント端末２０ａに対して開発仕掛部品一覧として提供する（Ｓ２０７）。
【００６９】
このとき、開発仕掛部品一覧として、各開発仕掛部品の部品名称、開発スケジュール、価格等の情報が提示される。この場合の開発スケジュールは、製品一覧表示と同様に、現在から所定期間内（一年間）に該当する範囲が、時間軸を列方向として表形式で表示される。
【００７０】
製品開発者の選択によりクライアント端末２０ａから開発仕掛部品を受け取った場合（Ｓ２０８のＹｅｓ）、サーバ部１２１は、受け取った情報に基づいて仕掛部品使用製品番号を発行する（Ｓ２０９）。この仕掛部品使用製品番号は、当該製品において使用される開発仕掛部品を特定する役割をする。
【００７１】
続いて、サーバ部１２１は、先に受け取った製品情報と共に、発行した番号および受け取った仕掛部品情報を製品情報管理部１２５に渡す。製品情報管理部１２５は、受け取った情報に基づいて、当該部品情報を関連付けて当該製品情報を製品情報記憶部１１２に登録する（Ｓ２１０）。
【００７２】
一方、製品開発者の指示によりクライアント端末２０ａから仕掛部品を選択しない旨の指示を受け取った場合（Ｓ２０８のＮｏ）、あるいはＳ２０９、Ｓ２１０の既存部品選択処理が終了すると、サーバ部１２１は、受け取った製品情報を新規部品開発依頼部１２７に渡す。製品情報を受け取ると、新規部品開発依頼部１２７は、新規部品開発依頼処理を行う（Ｓ２１１）。すなわち、新規部品開発依頼部１２７は、受け取った製品情報に基づいて、新規部品開発依頼に必要な情報をクライアント端末２０ａから受け付ける。
【００７３】
製品開発者の指示により新規部品開発依頼に必要な情報をクライアント端末２０ａから受け取ると、新規部品開発依頼部１２７は、受け取った情報に基づいて、新規部品開発依頼書データおよび新規部品開発を依頼する旨のメールを作成する。続いて、新規部品開発依頼部１２７は、作成した新規部品開発依頼書データおよびメールを、サーバ部１２１を介して部品開発管理装置１０ｂの新規部品開発依頼受付部１４３に向けて送信する。
【００７４】
部品管理部１０ｂでは、サーバ部１４１を介して新規部品開発を依頼する旨のメールを受け取ると、新規部品開発依頼受付部１４３は、受け取った新規部品開発依頼に基づいて、部品開発担当者へ通知する。なお、前述の通り、新規部品開発依頼受付部１４３は、新規部品開発依頼に基づいて自動的に回答を返してもよい。
【００７５】
続いて、新規部品開発依頼部１２７は、作成した新規部品開発依頼書データを、受け取った製品情報と共に製品情報管理部１２４に渡す。これらの情報を受け取ると、製品情報管理部１２４は、部品開発必要製品番号を発行する（Ｓ２１２）。部品開発必要製品番号は、製品開発において開発依頼された部品を特定する役割をする。
【００７６】
製品情報管理部１２４は、これら受け取った情報に基づき、新規部品開発依頼書データを関連付けて製品情報を登録する（Ｓ２１３）。
【００７７】
このように、この実施形態の製品開発管理装置１０ａは、製品情報の入力受付に際して、使用する部品を、既存部品、開発仕掛中部品、新規開発部品の順番で、すなわち、部品の新規性の低いほうから高いほうへという順番で、クライアント端末２０ａに対して選択に必要な情報を提供して入力を促している。これにより、製品開発者は、製品開発に必要な部品調達を行うことができる。あわせて、部品開発者は、既存部品／仕掛部品のない場合にのみ新規開発依頼を受けることになり、効率的な開発作業を実現できる。そして、製品開発者と部品開発者との連携を高めることができる。
【００７８】
なお、上記では説明の都合上、製品情報を新規に登録する場合を例に説明したが、登録済みの製品情報について修正したり追加したりする場合にも、ほぼ同様の処理により実現できる。また、図５では、既存部品、開発仕掛中部品、新規開発部品を、この順番で入力受け付けするようにしているが、既存部品を使用するだけで製品開発が達成できると製品開発者が判断した場合には、開発仕掛中部品、新規開発部品については、入力をせずに処理を終了させてもよい。
【００７９】
次に、図７および図８を参照して、製品情報が改訂（更新）され階層表示を実行する処理フローについて説明する。図７において、Ｓ３０１〜Ｓ３０４は、図５のＳ２０１〜Ｓ２０４にそれぞれ対応し、同様の処理であるので、重複する説明を省略する。
【００８０】
クライアント２０ａの指示により製品情報の改訂要求を受け付けると（Ｓ３０５のＹｅｓ）、製品開発管理装置１０ａのサーバ部１２１は、クライアント２０ａに対して現在の製品情報（最新の情報）を提供する（Ｓ３０６）。
【００８１】
続いて、サーバ部１２１は、クライアント２０ａにより選択された製品について、製品改訂情報を受け付ける（Ｓ３０７）。
【００８２】
製品改訂情報を受け取るとサーバ部１２１は、受け取った製品改訂情報を製品情報管理部１２４に渡す。製品改訂情報を受け取ると製品情報管理部１２４は、改訂履歴番号を発行する（Ｓ３０８）。改訂履歴番号は、改訂履歴を管理するために付与される新たな識別番号である。
【００８３】
続いて、製品情報管理部１２４は、発行された改訂履歴番号を付した当該改訂情報を、改訂前の情報と関連付けて参照し得るように製品情報記憶部１１２に登録する（Ｓ３０９）。
【００８４】
このようにして製品改訂情報が登録された後、製品開発管理装置１０ａの製品一覧表示部１２８は、現在の製品一覧表を再度生成し、生成した製品一覧表をクライアント２０ａに対して再度提供する（Ｓ３１０）。その結果、図８に示すように、改訂登録された情報に基づいて、製品一覧表がクライアント端末２０ａに表示される。
【００８５】
図８に示す例では、製品一覧表示画面５００には、製品一覧表５１０が現在日５１１と共に表示されている。製品一覧表５１０には、選択欄５１２、製品コード５１３、製品の開発スケジュール５１４、当該製品に使用される部品の概略進捗状況５１５が表示されている。選択欄５１２の各行に示される四角は、ユーザが詳細情報を表示させたい製品情報を選択するためのボタンである。
【００８６】
ここで、クライアント端末２０ａの選択指示により詳細情報を表示させたい製品が選択されると（図８に符号５１２で示す選択欄のボタンを入力部２４ａによりクリックされると）、製品情報詳細表示部１２９は、選択された製品についての詳細情報をクライアント端末２０ａに対して提供する（Ｓ３１１）。
【００８７】
この場合、改訂履歴が登録されているので、過去に改訂された履歴情報の一覧が階層的に表示される（Ｓ３１２）。すなわち、改訂後の最新の製品情報とともに改訂前の情報を表示させることができる。これにより、製品開発者は指定した製品についての過去の改訂履歴情報を閲覧することができる。なお、ここでは、製品開発者用のクライアント端末２０ａの場合について説明しているが、部品開発者用のクライアント端末２０ｂについても、部品開発管理装置１０ｂの製品詳細情報表示部１４６により同様に行われる。よって、部品開発者も、指定した製品についての過去の改訂履歴情報を閲覧することができる。
【００８８】
次に、図８および図９を参照して、開発スケジュールの表示がシフトする場合の動作について説明する。図９において、Ｓ４０１〜Ｓ４０４は、図５のＳ２０１〜Ｓ２０４にそれぞれ対応し、同様の処理であるので、重複する説明を省略する。また、Ｓ４０７〜Ｓ４１１は、図７のＳ３０５〜Ｓ３０９にそれぞれ対応しているので、同様に、重複する説明を省略する。
【００８９】
図８および図９に示すように、製品開発管理装置１０ａの製品一覧表示部１２８は、現在時刻を例えば基本システム機能により取得する（Ｓ４０５）。製品一覧表示部１２８は、取得された現在時刻に基づいて現在月（当月）を算出し、製品情報記憶部１１２から製品情報を抽出して当月から１年間の製品情報スケジュールを付した製品一覧表を生成し、生成したクライアント端末２０ａに対して提供する（Ｓ４０６）。図８は、開発スケジュールが付された製品一覧表がクライアント端末２０ａの表示部２５ａに表示されている様子を示している。
【００９０】
図８の例では、製品一覧表示画面５００の製品一覧表５１０のスケジュール表示欄５１４には、製品の開発スケジュールが、左端の列を現在月として、列方向に１箇月単位の時系列で１年分表示されている。この例では、現在日５１１は２００４年０４月２７日であるから、現在月は２００４年０４月である。このとき、時間が進行して現在月が２００４年０５月に変わると、１年分のスケジュール表示欄５１４の左端に表示される月は２００４年０５月になり、スケジュール表示が左に一列シフトする。そして、スケジュール表示欄５１４の右端に表示される月は２００５年０４月になる。この表示処理は、製品一覧表示部１２８が製品情報記憶装置１１２から再度読み出して製品一覧表を生成しなおすことにより実現される。
【００９１】
以上の様にして、本実施形態によれば、個々の製品情報の登録の際にはフェーズ毎に年月日で入力された開発スケジュール情報が（図６参照）、製品一覧表示の際は、当月から１年間の範囲で月単位に表示される（図８参照）。よって、複数の製品についての１年分の開発スケジュールを一見して把握することができ、一覧性が向上する。また、製品一覧表示において、その製品が使用する部品の進捗情報の概略が表示されるので、製品開発者は、部品開発の進捗状況を的確に把握することができる。また、製品開発や部品開発のスケジュールに変更があった際にも、製品開発スケジュールおよび部品開発の進捗状況の最新情報を、時系列に沿った表形式で適切に表示することができる。よって、製品開発者は、製品の開発状況だけでなく、使用する部品の開発状況も滞りなく管理することができる。
【００９２】
このように、本実施形態の開発管理システムによれば、新規開発対象の製品スケジュールや部品の使用情報等を含めた製品情報を、容易に登録することができる。登録された製品情報は、製品開発者の指示によりクライアント２０ａから、製品一覧情報や、製品詳細情報を表示することができ、製品情報を改訂することもできる。
【００９３】
なお、上記では説明を省略したが、全ての作業手順において、製品開発者と部品開発者、あるいは担当者と承認者、部署の異なる担当者間での入力が発生した場合に、自動的に、直接製品情報該当部分にアクセスできるようなメールが送信されるように構成することもできる。これにより、製品開発者と部品開発者、あるいは担当者と承認者、部署の異なる担当者間での連携を適切に保てるほか、やり取りされた情報を、製品情報記憶部１１２において、当該製品情報に関連付けて一元管理しておくことができる。これにより、製品開発側と部品開発側が離れている場合であっても、十分に連携をとることが可能となり、適切に開発状況を管理することができる。
【００９４】
なお、上記では、部品開発管理装置１０ｂの処理フロー（Ｓ１０６）の詳細についての説明を省略したが、本実施形態の開発管理システムを用いることにより、例えば、部品開発者は、自分が担当する部品を使用する複数の製品情報の一覧をスケジュールおよび進捗状況を付して表示させることができる。製品スケジュールにおいて各段階で部品の開発の進捗状況を入力でき、入力した部品の進捗情報は当該製品情報に関連付けて管理されるので、必要に応じて容易に参照することができる。
【００９５】
また、本実施形態によれば、部品毎に、その部品を使用する複数の製品の一覧を表示することができ、個々に製品の情報を履歴情報や証拠書類データも含めて展開して表示することも可能となる。よって、本実施形態によれば、部品開発者にとっても、関連する製品の情報を的確に把握することができるようになったので、開発管理の効率を向上することができる。
【００９６】
上記説明したように、本実施形態の開発管理装置、開発管理システム、コンピュータプログラムによれば、製品一覧表示機能の性能が向上したので、一見でスケジュールの概要および進捗状況を概ね抑えられるようになり、スケジュール等の時間軸の情報の更新を推進することができる。
【００９７】
なお、本発明は上記実施形態のみに限定されるものではない。上記説明した実施形態では、製品情報管理とユーザ管理およびアクセス認証を製品開発管理サーバとしての製品開発管理装置１０ａで構成し、部品情報管理および部品開発者用の製品情報表示機能等を部品開発管理サーバとしての部品開発管理装置１０ｂで構成し、互いをネットワークを介したサーバサーバ方式により連携させた。しかし、製品情報管理、部品開発管理、ユーザ管理を別々のサーバとして別々のコンピュータ装置に分けて実現してもよいし、一つのコンピュータ装置で実現しても良い。一つのコンピュータ装置で実現することにより、構成は単純となり管理が容易になる。また、上記説明した実施形態では、ネットワークを介したサーバクライアント方式により実現しているが、スタンドアロンのコンピュータ装置単体で実現してもよい。
【００９８】
上記実施形態におけるソフトウェアは、フレキシブルディスクなどのコンピュータが読み出し可能な記憶媒体に記憶されていても良く、また、ソフトウェア（プログラム）単体として伝送されるものでもよい。この場合、記憶媒体に記憶されたソフトウェア（プログラム）をコンピュータが読み出したり、ＬＡＮやインターネッ上のサイト（サーバ）からダウンロードしてインストールすることにより、各実施形態における処理が可能になる。
【００９９】
つまり、本発明におけるソフトウェア（プログラム）は、コンピュータと独立した記憶媒体に記憶されているものだけに限らず、ＬＡＮやインターネットなどの伝送媒体を介して流通されるものも含まれる。
【０１００】
なお、記憶媒体としては、上記フレキシブルディスクの他、例えば磁気ディスク、光ディスク（ＣＤ−ＲＯＭ、ＣＤ−Ｒ、ＤＶＤなど）、光磁気ディスク（ＭＯなど）、半導体メモリなど、プログラムを記憶でき、かつコンピュータが読み取り可能な記憶媒体であれば、その記憶形式はいずれの形態であっても良い。
【０１０１】
また、記憶媒体からコンピュータにインストールされたプログラムの指示に基づき、コンピュータ上で稼動しているＯＳ（オペレーティングシステム）や、データベース管理ソフト、ネットワークソフトなどのＭＷ（ミドルウェア）などが本実施形態を実現するための各処理の一部を実行しても良い。
【０１０２】
さらに、記憶媒体は、コンピュータと独立した媒体に限らず、ＬＡＮやインターネットなどにより伝送されたプログラムをダウンロードして記憶または一時記憶した記憶媒体も含まれる。また、記憶媒体は一つに限らず、複数の媒体から本実施形態における処理が実行される場合も本発明における記録媒体に含まれ、媒体構成はいずれの構成であっても良い。
【０１０３】
なお、コンピュータは、記憶媒体に記憶されたプログラムに基づき、本実施形態における各処理を実行するものであって、パソコンなどの一つからなる装置、複数の装置がネットワーク接続されたシステムなどのいずれの構成であっても良い。
【０１０４】
また、コンピュータとは、パソコンに限らず、情報処理機器に含まれる演算処理装置、マイコンなども含み、プログラムによって本発明の機能を実現することが可能な機器、装置を総称している。
【０１０５】
本実施形態によれば、上記説明したように、製品開発者と部品開発者との開発作業の連携を円滑にすることができる。
【産業上の利用可能性】
【０１０６】
本発明は、ＬＳＩを用いる半導体装置の製品開発における開発管理に限らず、他の製品の開発管理システムや開発管理装置に対して適用可能である。
【図面の簡単な説明】
【０１０７】
【図１】本発明の一実施形態に係る開発管理システムの構成を示すブロック図である。
【図２】本発明の一実施形態に係る製品開発管理装置の機能構成を示すブロック図である。
【図３】本発明の一実施形態に係る部品開発管理装置の機能構成を示すブロック図である。
【図４】この実施形態の開発管理システムにおける動作を示すフローチャートである。
【図５】この実施形態の製品開発管理装置の動作を示すフローチャートである。
【図６】この実施形態の開発管理システムにおいてユーザに提供される製品情報新規入力画面の一例を示す図である。
【図７】この実施形態の製品開発管理装置の詳細な動作を示すフローチャートである。
【図８】この実施形態の開発管理システムにおいてユーザに提供される製品一覧表示画面の一例を示す図である。
【図９】この実施形態の製品開発管理装置の動作を示すフローチャートである。
【符号の説明】
【０１０８】
１…開発管理システム、１０ａ…製品開発管理装置、１０ｂ…部品開発管理装置、１１ａ／１１ｂ／２１ａ／２１ｂ…記憶部、１２ａ／１２ｂ／２２ａ／２２ｂ…処理部、１３ａ／１３ｂ／２３ａ／２３ｂ…インタフェース、２０ａ／２０ｂ…クライアント端末、２４ａ／２４ｂ…入力部、２５ａ／２５ｂ…表示部、３０…ネットワーク、１１１…ユーザ情報記憶部、１１２…製品情報記憶部、１１３…部品情報記憶部、１２１…サーバ部、１２２…アクセス認証部、１２３…ユーザ情報管理部、１２４…製品情報管理部、１２５…既存部品抽出部、１２６…仕掛部品抽出部、１２７…新規部品開発依頼部、１２８…製品一覧表示部、１２９…製品詳細情報表示部、１４１…サーバ部、１４２…部品情報管理部、１４３…新規部品開発依頼受付部、１４４…回答登録部、１４５…製品一覧表示部、１４６…製品詳細情報表示部。
【図１】
2008084221.tif 000003
【図２】
2008084221.tif 000004
【図３】
2008084221.tif 000005
【図４】
2008084221.tif 000006
【図５】
2008084221.tif 000007
【図６】
2008084221.tif 000008
【図７】
2008084221.tif 000009
【図８】
2008084221.tif 000010
【図９】
2008084221.tif 000011